【手続補正書】
【提出日】平成19年5月24日(2007.5.24)
【手続補正１】
【補正対象書類名】明細書
【補正対象項目名】発明の名称
【補正方法】変更
【補正の内容】
【発明の名称】遊技用システムおよび管理装置
【手続補正２】
【補正対象書類名】明細書
【補正対象項目名】特許請求の範囲
【補正方法】変更
【補正の内容】
【特許請求の範囲】
【請求項１】  会員遊技者を個々に識別可能な会員識別情報に対応付けて当該会員の遊技履歴を記憶するための遊技履歴記憶手段を備える管理装置と、
遊技機に対応して設けられ、少なくとも前記会員識別情報が記録された会員用記録媒体の記録情報を読み出す読み出し手段と、該読み出し手段にて読み出した前記会員識別情報を前記管理装置に送信するための会員識別情報送信手段と、を備える遊技用装置と、
から成り、
前記管理装置は、
遊技履歴に関する条件を設定するための条件設定手段と、
該条件設定手段により設定された条件に対応するメッセージを設定するためのメッセージ設定手段と、
前記会員識別情報送信手段から送信されてきた前記会員識別情報に対応付けて前記遊技履歴記憶手段に記憶されている遊技履歴が、前記条件設定手段にて設定された条件を満たすか否かを判定する判定手段と、
該判定手段により、前記条件設定手段にて設定された条件を満たすと判定されたときに、前記メッセージ設定手段にて設定されたメッセージを、前記会員識別情報の送信元の遊技用装置に送信するメッセージ送信手段と、
を備え、
前記遊技用装置は、前記メッセージ送信手段から送信されるメッセージを表示する表示手段を備えることを特徴とする遊技用システム。
【請求項２】  前記表示手段は、前記会員用記録媒体に記録された会員帰属情報、或いは前記会員用記録媒体に記録された会員識別情報により特定される会員帰属情報が付加されたメッセージを表示する請求項１に記載の遊技用システム。
【請求項３】  前記管理装置は、
前記遊技用装置に前記会員用記録媒体を受付け中において、当該遊技用装置に対応する遊技機での遊技に関する遊技関連情報を逐次収集する遊技関連情報収集手段と、
該遊技関連情報収集手段にて収集した遊技関連情報に基づいて、前記受付け中の会員用記録媒体に記録されている会員識別情報に対応付けて前記遊技履歴記憶手段に記憶されている遊技履歴を更新する遊技履歴更新手段と、
を備え、
前記判定手段は、前記遊技履歴更新手段により遊技履歴が更新されたときに前記条件設定手段によって設定された条件を満たすか否かの判定を実施する請求項１または２に記載の遊技用システム。
【請求項４】  前記条件設定手段は、複数の異なる条件を設定可能であり、
前記メッセージ設定手段は、前記条件設定手段にて設定された各条件に対応するメッセージを設定可能であり、
前記判定手段は、前記条件設定手段において設定された複数の条件のうち、どの条件が満たされたかを特定し、
前記メッセージ送信手段は、前記判定手段にて特定された条件に対応して前記メッセージ設定手段にて設定されたメッセージを送信する請求項１〜３のいずれかに記載の遊技用システム。
【請求項５】  前記条件設定手段は、遊技履歴に関する条件の他に、会員遊技者に関する複数の条件を設定可能であり、
前記メッセージ設定手段は、前記条件設定手段にて設定された各条件に対応するメッセージと当該メッセージの優先順位を設定可能であり、
前記判定手段は、前記条件設定手段において設定された複数の条件のうち、どの条件が満たされたかを特定し、
前記メッセージ送信手段は、前記判定手段にて特定された条件が複数であるときに、前記メッセージ設定手段にて設定された各メッセージの優先順位に基づいてメッセージを送信する請求項１〜４のいずれかに記載の遊技用システム。
【請求項６】  前記遊技用装置は、新たな会員用記録媒体を受付けたときに、
前記読み出し手段による記録情報の読み出し、および前記会員識別情報送信手段による会員識別情報の送信を行い、
前記判定手段は、前記会員識別情報送信手段から会員識別情報を受信したときに、前記条件設定手段にて設定された条件を満たすか否かの判定を実施する請求項１〜５のいずれかに記載の遊技用システム。
【請求項７】  遊技機に対応して設けられ、少なくとも会員遊技者を個々に識別可能な会員識別情報が記録された会員用記録媒体の記録情報を読み出す読み出し手段と、該読み出し手段にて読み出した前記会員識別情報を送信するための会員識別情報送信手段と、を備える遊技用装置にデータ通信可能に接続され、前記会員識別情報に対応付けて当該会員の遊技履歴を記憶するための遊技履歴記憶手段を備える管理装置であって、
遊技履歴に関する条件を設定するための条件設定手段と、
該条件設定手段により設定された条件に対応するメッセージを設定するためのメッセージ設定手段と、
前記会員識別情報送信手段から送信されてきた前記会員識別情報に対応付けて前記遊技履歴記憶手段に記憶されている遊技履歴が、前記条件設定手段にて設定された条件を満たすか否かを判定する判定手段と、
該判定手段により、前記条件設定手段にて設定された条件を満たすと判定されたときに、前記メッセージ設定手段にて設定されたメッセージを、前記会員識別情報の送信元の遊技用装置に送信するメッセージ送信手段と、
を備えることを特徴とする管理装置。
【手続補正３】
【補正対象書類名】明細書
【補正対象項目名】０００１
【補正方法】変更
【補正の内容】
【０００１】
【発明の属する技術の分野】
本発明は、遊技用システムおよび管理装置、特には、会員カード等の会員用記録媒体を使用して、会員遊技者に対するメッセージを表示することのできる遊技用システムおよび管理装置に関する。
【手続補正４】
【補正対象書類名】明細書
【補正対象項目名】０００５
【補正方法】変更
【補正の内容】
【０００５】
よって、本発明は上記した問題点に着目してなされたもので、前記メッセージの表示に会員遊技者の興味を惹き付けて遊技意欲を向上させることのできる遊技用システムおよび管理装置を提供することを目的としている。
【手続補正５】
【補正対象書類名】明細書
【補正対象項目名】００１１
【補正方法】変更
【補正の内容】
【００１１】
本発明の遊技用システムの前記遊技用装置は、新たな会員用記録媒体を受付けたときに、
前記読み出し手段による記録情報の読み出し、および前記会員識別情報送信手段による会員識別情報の送信を行い、
前記判定手段は、前記会員識別情報送信手段から会員識別情報を受信したときに、前記条件設定手段にて設定された条件を満たすか否かの判定を実施することが好ましい。
このようにすれば、会員用記録媒体の受付け時という会員遊技者の表示手段への注目度が高い時期にメッセージを表示できる。
本発明の管理装置は、遊技機に対応して設けられ、少なくとも会員遊技者を個々に識別可能な会員識別情報が記録された会員用記録媒体の記録情報を読み出す読み出し手段と、該読み出し手段にて読み出した前記会員識別情報を送信するための会員識別情報送信手段と、を備える遊技用装置にデータ通信可能に接続され、前記会員識別情報に対応付けて当該会員の遊技履歴を記憶するための遊技履歴記憶手段を備える管理装置であって、
遊技履歴に関する条件を設定するための条件設定手段と、
該条件設定手段により設定された条件に対応するメッセージを設定するためのメッセージ設定手段と、
前記会員識別情報送信手段から送信されてきた前記会員識別情報に対応付けて前記遊技履歴記憶手段に記憶されている遊技履歴が、前記条件設定手段にて設定された条件を満たすか否かを判定する判定手段と、
該判定手段により、前記条件設定手段にて設定された条件を満たすと判定されたときに、前記メッセージ設定手段にて設定されたメッセージを、前記会員識別情報の送信元の遊技用装置に送信するメッセージ送信手段と、
を備えることを特徴としている。
この特徴によれば、遊技者にとって関心の高い自己の遊技履歴に応じたメッセージが遊技用装置に送信されることで、該遊技用装置において当該メッセージを表示することが可能となるため、会員遊技者の興味を惹き付けて遊技意欲を向上させることができる。
【手続補正６】
【補正対象書類名】明細書
【補正対象項目名】００６３
【補正方法】変更
【補正の内容】
【００６３】
そして、これら会員別履歴テーブルの更新を実施する毎に、前記メッセージデータベースにおいてカード挿入中における表示条件として設定されている各条件が成立しているか否かの判定処理を、更新後の各データに基づいて実施する。具体的に、図８のように設定されている場合であれば、本日１回目の大当りが発生したか否か、並びに本日１０回目の大当りが発生したか否か、確変大当りが発生したか否か、連荘回数が５回か否か、連荘回数が１０回か否か、累計大当りが１００回か否か、累計大当りが１０００回か否かの各々の判定を実施して成立条件を特定する。
【手続補正７】
【補正対象書類名】明細書
【補正対象項目名】００９１
【補正方法】変更
【補正の内容】
【００９１】
本発明の請求項６は、前記遊技用装置（カードユニット３）は、新たな会員用記録媒体（会員カード）を受付けたときに、前記読み出し手段（カードリーダライタ３２７）による記録情報の読み出し、および前記会員識別情報送信手段（通信部３３４）による会員識別情報（会員ＩＤ）の送信を行い、前記判定手段（ＣＰＵ１２２）は、前記会員識別情報送信手段から会員識別情報を受信したときに、前記条件設定手段（入力装置１２５、メッセージ設定画面）にて設定された条件を満たすか否かの判定を実施する。
本発明の請求項７は、遊技機（パチンコ機２）に対応して設けられ、少なくとも会員遊技者を個々に識別可能な会員識別情報（会員ＩＤ）が記録された会員用記録媒体（会員カード）の記録情報を読み出す読み出し手段（カードリーダライタ３２７）と、該読み出し手段にて読み出した前記会員識別情報を送信するための会員識別情報送信手段（通信部３３４）と、を備える遊技用装置（カードユニット３）にデータ通信可能に接続され、前記会員識別情報に対応付けて当該会員の遊技履歴を記憶するための遊技履歴記憶手段（記憶装置１２４、会員別履歴テーブル）を備える管理装置（会員管理コンピュータ１２０）であって、
遊技履歴に関する条件を設定するための条件設定手段（入力装置１２５、メッセージ設定画面）と、該条件設定手段により設定された条件に対応するメッセージを設定するためのメッセージ設定手段（入力装置１２５、メッセージ設定画面）と、
前記会員識別情報送信手段から送信されてきた前記会員識別情報に対応付けて前記遊技履歴記憶手段に記憶されている遊技履歴が、前記条件設定手段にて設定された条件を満たすか否かを判定する判定手段（ＣＰＵ１２２）と、該判定手段により、前記条件設定手段にて設定された条件を満たすと判定されたときに、前記メッセージ設定手段にて設定されたメッセージを、前記会員識別情報の送信元の遊技用装置に送信するメッセージ送信手段（ＣＰＵ１２２，通信部１２８）と、
を備える。
【手続補正８】
【補正対象書類名】明細書
【補正対象項目名】００９７
【補正方法】変更
【補正の内容】
【００９７】
（ｆ）請求項６の発明によれば、会員用記録媒体の受付け時という会員遊技者の表示手段への注目度が高い時期にメッセージを表示できる。
（ｇ）請求項７の発明によれば、遊技者にとって関心の高い自己の遊技履歴に応じたメッセージが遊技用装置に送信されることで、該遊技用装置において当該メッセージを表示することが可能となるため、会員遊技者の興味を惹き付けて遊技意欲を向上させることができる。